(57)【要約】【課題】任意の長さのロール製品を収容可能な折り畳み式ラックを提供する。【解決手段】パレット部１００上に仕切り枠受けレール１３０を配置し、その上に支管受け３７０を有する移動仕切り枠２００を移動自在に配置する。移動仕切り枠２００の移動方向に長穴付ガイドレール１４０を配置し、移動仕切り枠２００の底面から延伸するボルトが長穴１４１を通過して長穴付ガイドレール１４０のＵ字溝内部に配置されるナットと嵌合するように構成する。ボルト−ナットを緩めると移動仕切り枠２００は自由に移動可能であるが、ボルト−ナットを締め付けると、長穴付ガイドレール１４０と移動仕切り枠２００とが圧接された状態となり、移動仕切り枠２００は長穴付ガイドレール１４０に対して移動不可能な状態となり固定される。【選択図】  図１
2010173716.tif 000002
【特許請求の範囲】
【請求項１】
パレット部と、
被収容物を収容する時は前記パレット部上に対向して立設され、被収容物を収容しない時は各々前記パレット部上に倒置される一対の枠部材と、
前記パレット部に設置され、枠部材をスライド移動可能に支持する第１のガイドレールと、
前記パレット部に設置され、前記枠部材に圧接されて当該枠部材を移動不能にする状態、又は、前記枠部材と干渉せず当該枠部材を移動可能にする状態となる第２のガイドレールと、
前記第２のガイドレールの状態を所望の状態とし、前記枠部材を所望の位置で固定する固定手段と
を有する折り畳み式ラック。
【請求項２】
前記第２のガイドレールは、前記枠部材の移動方向に沿って開口が形成されたガイドレールであって、前記固定手段は、前記開口を介して前記第２のガイドレールに係合した係合部材を有し、当該係合部材を介して前記第２のガイドレールと前記枠部材との接触状態を調整することを特徴とする請求項１に記載の折り畳み式ラック。
【請求項３】
前記パレット部の前記枠部材がスライド移動する面に、樹脂製の滑り材が配設されていることを特徴とする請求項１又は２に記載の折り畳み式ラック。
【請求項４】
前記一対の枠部材の対向する位置に、ロール製品の支管を受ける支管受け部が具備されていることを特徴とするロール製品用の前記請求項１〜３のいずれかに記載の折り畳み式ラック。
【発明の詳細な説明】
【技術分野】
【０００１】
本発明は、折り畳み式ラックに関し、特に、任意の長さのロール製品を収容し輸送あるいは保管等を行うことが可能なロール製品用の折り畳み式ラックに関する。
【背景技術】
【０００２】
従来、ロール製品を輸送あるいは保管等するためのラックとしては、例えばロール製品の支管をパレットの上に設置された側壁パネルの一部を利用して保持する構成のロール製品用ラックが知られている。このロール製品用ラックにおいては、ロール製品を収容しない状態ではラックをできる限りコンパクトなサイズにしておくことが有利なため、折り畳み式でかつ積み重ね可能な構成のものが一般的に用いられている（例えば特許文献１参照）。
【０００３】
一方、ロール製品にも種々の形態のものがあり、また軸方向の長さは様々に異なるものが存在し、異なる長さ（軸方向長さ）のロール製品に対応可能なラックが要望されている。そこで、ロール製品の支管を支える側壁パネルをパレット上に着脱可能にしてその位置を変更できるようにし、同一のラックで複数種類の長さのロール製品に対応できるようにしたラックが開示されている（例えば特許文献２参照）。
【先行技術文献】
【特許文献】
【０００４】
【特許文献１】特表２００３−５２６５７９号公報
【特許文献２】特開２００５−３３５７４７号公報
【発明の概要】
【発明が解決しようとする課題】
【０００５】
特許文献２に開示されている従来のラックにおいては、側壁パネルをパレットに差し込んだり抜き取ったりして着脱し、その位置を変更するものである。しかしながら、通常、ロール製品は重量のある物品であり、従って、これを支持する側壁パネルも通常はスチール製の頑丈で強固な部材である。従って、この側壁パネルの位置を変更するためには、側壁パネルの両側を各々作業者が保持し、これを抜いたり差したりしなければならなかった。すなわち、側壁パネルの移動は２人掛かり、あるいはもっと多数の作業者でなければできないものであり、面倒で手間のかかる作業だった。
【０００６】
本発明はこのような課題に鑑みてなされたものであって、その目的は、任意の長さのロール製品を収容し輸送あるいは保管等を行うことが可能なロール製品用の折り畳み式ラックであって、収容するロール製品に対応したロール製品の支持部の移動、変更あるいは調整等を、作業者一人でも容易に効率よく行えるような折り畳み式ラックを提供することにある。
【課題を解決するための手段】
【０００７】
前記課題を解決するために、本発明の折り畳み式ラックは、パレット部と、被収容物を収容する時は前記パレット部上に対向して立設され、被収容物を収容しない時は各々前記パレット部上に倒置される一対の枠部材と、前記パレット部に設置され、枠部材をスライド移動可能に支持する第１のガイドレールと、前記パレット部に設置され、前記枠部材に圧接されて当該枠部材を移動不能にする状態、又は、前記枠部材と干渉せず当該枠部材を移動可能にする状態となる第２のガイドレールと、前記第２のガイドレールの状態を所望の状態とし、前記枠部材を所望の位置で固定する固定手段とを有する。
【０００８】
好適には、前記第２のガイドレールは、前記枠部材の移動方向に沿って開口が形成されたガイドレールであって、前記固定手段は、前記開口を介して前記第２のガイドレールに係合した係合部材を有し、当該係合部材を介して前記第２のガイドレールと前記枠部材との接触状態を調整することを特徴とする。
【０００９】
また好適には、前記パレット部の前記枠部材がスライド移動する面に、樹脂製の滑り材が配設されていることを特徴とする。
【００１０】
また好適には、前記一対の枠部材の対向する位置に、ロール製品の支管を受ける支管受け部が具備されていることを特徴とする。
【発明の効果】
【００１１】
本発明によれば、任意の長さのロール製品を収容し輸送あるいは保管等を行うことが可能なロール製品用の折り畳み式ラックであって、収容するロール製品に対応したロール製品の支持部の移動、変更あるいは調整等を、作業者一人でも容易に効率よく行えるような折り畳み式ラックを提供することができる。
【図面の簡単な説明】
【００１２】
【図１】図１は、本発明の一実施形態の折り畳み式ラックの全体構成を示す図であり、（ａ）は折り畳み式ラックの平面図（上面図）であり、（ｂ）は折り畳み式ラックの長手方向の側面図であり、（ｃ）は折り畳み式ラックの短手方向の側面図である。
【図２】図２は、図１（ｂ）のＡの箇所の詳細図である。
【図３】図３は、図１（ａ）のＢの箇所における断面図である。
【図４】図４は、図１（ａ）のＣの箇所の詳細図である。
【図５】図５は、図１（ａ）のＤの箇所における断面図である。
【図６】図６は、図５に示した固定部の構成を示す図であり、（ａ）は固定部の断面図であり、（ｂ）はひし型ナットの状態を説明するための図である。
【発明を実施するための形態】
【００１３】
本発明の一実施形態について、図１〜図６を参照して説明する。
本実施形態においては、ロール製品を収容し搬送あるいは保管等を行うための折り畳み式ラックであって、任意の長さのロール製品を収容可能な折り畳み式ラックについて説明する。
【００１４】
図１に示すように、折り畳み式ラック１は、パレット部１００と、パレット部１００の上面に対向配置される一対の移動仕切り枠（枠部材）２００を有する。
【００１５】
パレット部１００は、折り畳み式ラック１の基台である。パレット部１００は、略長方形の平面形状を有し、少なくとも長手方向の側面には、フォークリフトの爪部（フォーク）が差し込まれるリフト用開口１０１が形成されている。本実施形態においてパレット部１００は、ステンレスやアルミニウム等の金属の角材、角筒パイプあるいは断面がＵ字あるいはＬ字の棒状部材が溶接等により連結されて形成されているものとするが、樹脂成型により製造された樹脂パレットを有する構成であってもよい。
【００１６】
パレット部１００の長方形形状の４隅位置には、支柱部１１１とガイド板部１１５を一体的に形成したコーナ金具１１０が配設されている。
支柱部１１１は、パレット部１００の鉛直方向の主要構成部材であるとともに、折り畳み式ラック１が折り畳まれて段積みされる際の支柱として使用される。従って支柱部１１１は、折り畳み式ラック１が折り畳まれた状態において、すなわち、後述するように移動仕切り枠２００の妻枠３１０が折り畳まれた状態において、折り畳み式ラック１の中で最も背の高い部材となるように形成されている。支柱部１１１の下面には、折り畳み式ラック１を段積みする際に下の折り畳み式ラック１の支柱部１１１の上端部１１３が挿入あるいは係止可能な凹部が下向きに形成された段積金具１１２が設置されている。
【００１７】
ガイド板部１１５は、パレット部１００の長手方向の両側面の両端部に配設される板部材であって、移動仕切り枠２００の移動を案内する部材である。ガイド板部１１５は、図２に示すように、パレット部１００の上に摺動可能に設置される移動仕切り枠２００の基枠２１０の上面と略同じ高さで、長手方向には移動仕切り枠２００の移動範囲を含む長さに設置される。
【００１８】
ガイド板部１１５の上側の面、すなわち、移動仕切り枠２００の基枠２１０の側面に沿って配置される範囲には、ガイド板部１１５の略全範囲にわたる細長い開口であるガイド孔１１６が形成されている。ガイド孔１１６には、移動仕切り枠２００の基枠２１０の側面の両端部に設置されている２つの滑り用ボルト・ナット２２１、及び、その間に設置されている補強材係止用ボルト・ナット２２２が摺動可能に嵌合される。これにより、移動仕切り枠２００の基枠２１０は、パレット部１００と連結した状態とされるとともに、パレット部１００の上面に対して平行な状態が常に維持されることとなる。また、移動仕切り枠２００の滑り用ボルト・ナット２２１の移動範囲がガイド板部１１５のガイド孔１１６の範囲に制限されることにより、移動仕切り枠２００の移動範囲が規定される。
【００１９】
パレット部１００の上面には、図１（ａ）に示すように、移動仕切り枠２００を移動自在に支持する仕切り枠受けレール（第１のガイドレール）１３０、及び、移動仕切り枠２００を任意の位置に固定するための長穴付ガイドレール（第２のガイドレール）１４０が設置される。仕切り枠受けレール１３０及び長穴付ガイドレール１４０は、対向配置される一対の移動仕切り枠２００に対応してパレット部１００の長手方向の両端部に各々設置される。
【００２０】
仕切り枠受けレール１３０は、パレット部１００の短手方向の両端及び中央に、各々パレット部１００の長手方向に沿って設置される。すなわち、仕切り枠受けレール１３０は、パレット部１００の長手方向の両端部に各々３本設置される。また、長穴付ガイドレール１４０は、３本の仕切り枠受けレール１３０の略中間の位置に、各々パレット部１００の長手方向に沿って設置される。すなわち、長穴付ガイドレール１４０は、パレット部１００の長手方向の両岸部に各々２本設置される。従って、１基の移動仕切り枠２００は、両端部及び中央の仕切り枠受けレール１３０、及び、３本の仕切り枠受けレール１３０の略中央に配される２本の長穴付ガイドレール１４０により移動可能に支持されることとなる。
【００２１】
仕切り枠受けレール１３０及び長穴付ガイドレール１４０を設置する範囲、すなわち仕切り枠受けレール１３０及び長穴付ガイドレール１４０の長さは、パレット部１００の両端部の各々において、移動仕切り枠２００を移動させる範囲である。従ってその範囲は、折り畳み式ラック１において収容しようとするロール製品の長さによって決められる。
【００２２】
仕切り枠受けレール１３０は、通常、金属製の棒状部材であるが、金属製の棒状部材の表面に滑り樹脂板を貼着した構成であることが好ましい。図５に示すように、この仕切り枠受けレール１３０に対して、移動仕切り枠２００の底面に設置された後述する摺動凸部２３０が当接する状態で、移動仕切り枠２００が載置される。滑り樹脂板を介在させることにより、移動仕切り枠２００の摺動凸部２３０は、低い摩擦抵抗でスムースに仕切り枠受けレール１３０上を摺動（スライド移動）することができる。また、摺動に際して金属同士が擦れ合って金属粉等が生じるのを防ぐことができる。
【００２３】
長穴付ガイドレール１４０は、図１（ａ）、図３及び図６に示すように、その長手方向に長穴１４１が形成された断面Ｕ字の金属製棒状部材である。長穴付ガイドレール１４０に対しては、図６に示すように、移動仕切り枠２００の中間支柱２１５から延伸するボルト（レバー付ボルト２４１）が、長穴１４１を通過してＵ字溝内部に配置されるナット（ひし形ナット２４２）と嵌合するように構成される。このような構成においては、ボルト−ナットが緩められた状態ではナット２４２は長穴付ガイドレール１４０のＵ字溝内部を自由に移動可能であり、移動仕切り枠２００は長穴付ガイドレール１４０に対して自由に移動可能である。一方、ボルト−ナットが締め付けられると、その締め付けられる力がナット２４２を介して長穴付ガイドレール１４０に作用し、長穴付ガイドレール１４０と移動仕切り枠２００とが圧接された状態となり、移動仕切り枠２００は長穴付ガイドレール１４０に対して移動不可能な状態となる。すなわち、移動仕切り枠２００の位置が固定されることになる。長穴付ガイドレール１４０は、このような作用により移動仕切り枠２００の位置を固定するガイドレールである。
【００２４】
移動仕切り枠２００は、ロール製品の両端部においてロール製品の支管を支持することによりロール製品を保持する。折り畳み式ラック１においては、図１（ａ）に示すように、同一構成の２つの移動仕切り枠２００が、パレット部１００の長手方向両端部に、その長手方向に移動可能に設置されている。各移動仕切り枠２００は、前述したようにパレット部１００の長手方向の両端部に設置される仕切り枠受けレール１３０に支持されて設置される。
【００２５】
移動仕切り枠２００は、基枠２１０と、基枠２１０上に傾倒可能に立設される妻枠（立設枠）３１０を有する。
基枠２１０は、図１（ａ）に示すように、パレット部１００の短手方向を長手方向とする長方形形状の枠部材である。
基枠２１０は、パレット部１００の内部側にパレット部１００の短手方向に配置される内側枠２１１、内側枠２１１の対辺としてパレット部１００の外側に配置される外側枠２１２、基枠２１０の短手方向（パレット部１００の長手方向）の両側に配置されて内側枠２１１と外側枠２１２の両端部を各々連結する２本の側部枠２１３、基枠２１０の長手方向の中央部で内側枠２１１と外側枠２１２とを連結する中央支柱２１４、及び、中央支柱２１４と両側の側部枠２１３の略中央部に配置されて内側枠２１１と外側枠２１２とを連結する２本の中間支柱２１５を有する。
【００２６】
基枠２１０の４箇所の各角部、及び、内側枠２１１及び外側枠２１２の中央部の計６箇所（図１（ａ）の図面左側に小円Ｅで囲んだ箇所）の底面には、移動仕切り枠２００を仕切り枠受けレール１３０上にスライド移動可能に載置する摺動凸部２３０（図５参照）が形成されている。
摺動凸部２３０は、図５に示すように、基枠２１０の枠部材に埋設されたポップナット２３１に対して、ボルト２３２により摺動部材２３３を固定することにより形成される。摺動部材２３３としては、金属材料でもよいし、樹脂であってもよく、金属の表面に樹脂を貼着させたものでもよい。
移動仕切り枠２００は、基枠２１０の６箇所の摺動凸部２３０がパレット部１００の上面に設置された３本の仕切り枠受けレール１３０上に載置されることにより、パレット部１００上にスライド移動可能に設置される。
【００２７】
また、図４に示すように、基枠２１０の２本の中間支柱２１５の略中央部には、移動仕切り枠２００をパレット部１００に対して固定する固定部（固定手段）２４０が設置されている。
固定部２４０は、図６（ａ）に示すように、中間支柱２１５の表面からレバー付ボルト２４１が長穴付ガイドレール１４０の長穴１４１を通過して長穴付ガイドレール１４０のＵ字溝内部に差し込まれ、長穴付ガイドレール１４０のＵ字溝内部においてひし形ナット２４２と嵌合されているものである。ひし形ナット２４２は、長穴付ガイドレール１４０のＵ字溝内部に図６（Ｂ）に示すように回転不能に収容されており、レバー付ボルト２４１が回動された時に、レバー付ボルト２４１の軸とともに回転することが防止される構成となっている。
【００２８】
このような構成において、レバー付ボルト２４１とひし形ナット２４２とが締め付けられると、前述したように、その締め付けられる力がひし形ナット２４２を介して長穴付ガイドレール１４０に作用し、長穴付ガイドレール１４０と移動仕切り枠２００とが圧接された状態となる。その結果、移動仕切り枠２００は長穴付ガイドレール１４０に対して移動不可能な状態となる。
なお、長穴付ガイドレール１４０と中間支柱２１５との間にはスペーサ２４３を介在させているので、レバー付ボルト２４１を締め付け過ぎた場合にも中間支柱２１５あるいは長穴付ガイドレール１４０が変形することが防止される。
【００２９】
また、レバー付ボルト２４１とひし形ナット２４２とが緩められた状態では、長穴付ガイドレール１４０と中間支柱２１５とは実質的に干渉しない状態となり、またひし形ナット２４２は長穴付ガイドレール１４０のＵ字溝内部を自由に移動可能な状態となり、移動仕切り枠２００は長穴付ガイドレール１４０に対して移動可能となる。
なお、レバー付ボルト２４１を緩めた時には、図５（ｂ）の矢印の方向にひし形ナット２４２が回転される。ひし形ナット２４２の回転は長穴付ガイドレール１４０のＵ字溝の壁面により制限されるものの、この回転によりひし形ナット２４２は長穴付ガイドレール１４０のＵ字溝内部において溝の方向に沿って移動し易い姿勢とされる。従って、レバー付ボルト２４１を緩めた時には、移動仕切り枠２００は仕切り枠受けレール１３０及び長穴付ガイドレール１４０に沿って容易に移動可能な状態となる。
【００３０】
妻枠３１０は、基枠２１０と同じくパレット部１００の短手方向を長手方向とする略長方形の枠部材であり、基枠２１０の外側枠２１２の上に傾倒可能に立設される。妻枠３１０は、図１（ｃ）に示すように、上枠３１１、下枠３１２、側部枠３１３及び中間支柱３１５を有する。また、妻枠３１０の上枠３１１上部には、支管受け支持枠３７３を介してロール製品の支管を受ける支管受け３７０が設置されている。妻枠３１０の側部枠３１３は、上枠３１１との連結位置からさらに上部に延伸して支管受け支持枠３７３の端部と連結しており、支管受け３７０を支持する。
【００３１】
支管受け３７０には、支管を受ける凹部３７１が形成されている。凹部３７１を両側で支持する支管受け支持枠３７３には、凹部３７１の上方開口を開閉するとともに、凹部３７１にロール製品の支管を配置した時にその支管の上部を押える支管押え３７２が設置されている。
支管押え３７２は、棒状の部材であって、一方の端部が一方の支管受け支持枠３７３に回動自在に取り付けられており、他方の端部（自由端）は他方の支管受け支持枠３７３に設置された係止手段に係止されるようになっている。従って、凹部３７１にロール製品の支管をセットする場合には、支管押え３７２の自由端側の係止は解除され、凹部３７１の上方開口は開いた状態とされる。そして、凹部３７１にロール製品の支管をセットしたら、支管押え３７２を凹部３７１の上部を塞ぐように回動させ、自由端側を他方の支管受け支持枠３７３に設置された係止手段により係止する。これにより、凹部３７１の上部が閉塞した状態となるとともに、支管押え３７２によりロール製品の上部が移動不能に押えられた状態とされ、ロール製品の支管は支管受け３７０により確実に支持される。
なお、凹部３７１の内面には、必要に応じてゴム等の緩衝部材が設けられる。
【００３２】
基枠２１０と妻枠３１０とは、基枠２１０の外側枠２１２と妻枠３１０の下枠３１２とが上下に並び重ねられて配置され、その内側の接触辺を回転軸として妻枠３１０が基枠２１０に対して回動可能なように蝶番２１８により連結されている（図１（ａ）及び図２参照）。これにより、妻枠３１０は、基枠２１０の外側枠２１２の上に立設された状態と、折り畳み式ラック１の内側に向けて基枠２１０の上に傾倒された状態、すなわち折り畳まれた状態とに変形可能となる。
【００３３】
妻枠３１０の側部枠３１３の外側面には、図１（ｂ）及び図２に示すように、細長い薄板状の倒れ防止補強材３２０が設置されている。倒れ防止補強材３２０は、一方の端部が妻枠３１０の側部枠３１３に回動自在に取り付けられており、自由端となる他方の端部には係止溝３２１が形成されている。図２に示すように、妻枠３１０を基枠２１０上に立設した状態において倒れ防止補強材３２０の係止溝３２１は、基枠２１０の側面に設置され、パレット部１００のコーナ金具１１０のガイド板部１１５のガイド孔１１６を介して外部に突出している補強材係止用ボルト・ナット２２２に係合するようになっている。そして、妻枠３１０の倒れ防止補強材３２０の係止溝３２１が基枠２１０の補強材係止用ボルト・ナット２２２に係合した状態においては、倒れ防止補強材３２０が支持部材となって妻枠３１０が基枠２１０上に立設された状態が強固に維持される。換言すれば、妻枠３１０が基枠２１０に対して回動する事態、すなわち倒れる事態が防止される。
【００３４】
本実施形態において倒れ防止補強材３２０の妻枠３１０の側部枠３１３に対する取り付け位置は、図２に示すように、立設している側部枠３１３の外側となっている。すなわち、側部枠３１３の外部に図示せぬ軸回転可能な支持手段が設けられており、これに倒れ防止補強材３２０の一方の端部の回転軸が支持される形態となっている。
このような構成としておくことにより、妻枠３１０を基枠２１０の上に傾倒した時に、倒れ防止補強材３２０がコーナ金具１１０のガイド板部１１５等と干渉するのを防ぐことができ、折り畳み式ラック１をコンパクトに安定した状態に折り畳むことができる。
【００３５】
また、図３に示すように、妻枠３１０の中間支柱３１５の外側及び基枠２１０の外側枠２１２の対応する位置には、妻枠３１０の下枠３１２の外側が基枠２１０の外側枠２１２の外側から内側に倒れないようにこれを係止する係止具３５０が設置されている。本実施形態において係止具３５０は、基枠２１０の外側枠２１２の外面に設置されたフック２５０に矩形リングを係止して妻枠３１０側に引っ張り係止するキャッチクリップである。倒れ防止補強材３２０と同様にこのキャッチクリップ３５０においても、妻枠３１０は、倒れることなく基枠２１０上に立設された状態が強固に維持される。
【００３６】
このような構成の折り畳み式ラック１の使用方法について説明する。
まず、折り畳み式ラック１にロール製品を収容する方法について説明する。
例えば図１（ｃ）に示すように移動仕切り枠２００が設置されている場合に移動仕切り枠２００の位置を移動するためには、まず、移動仕切り枠２００の固定部２４０のレバー付ボルト２４１（図３〜図６参照）を緩め、移動仕切り枠２００の基枠２１０の中間支柱２１５が長穴付ガイドレール１４０に圧接している状態を解除する。これにより、移動仕切り枠２００は仕切り枠受けレール１３０上をパレット部１００の長手方向に移動可能となる。すなわち、作業者が移動仕切り枠２００に押すあるいは引く等の力を加えることにより、移動仕切り枠２００の基枠２１０の摺動凸部２３０が仕切り枠受けレール１３０の上をスライド移動し、移動仕切り枠２００が移動される。
【００３７】
移動仕切り枠２００を、収容するロール製品の長さに対応した適切な位置に移動したら、固定部２４０のレバー付ボルト２４１を締め付ける。その結果、移動仕切り枠２００の基枠２１０の中間支柱２１５が長穴付ガイドレール１４０に圧接することとなり、移動仕切り枠２００はパレット部１００に固定される。
対向する２個の移動仕切り枠２００の位置をこのようにして決定し、移動仕切り枠２００の位置に固定したら、ロール製品を支管受け３７０（図１（ｃ）参照）に載置し、支管押え３７２を閉じる。これにより、ロール製品は折り畳み式ラック１に収容され、搬送可能な状態となる。
【００３８】
次に、折り畳み式ラック１に収容したロール製品を取り出し、さらに折り畳み式ラック１を折り畳む方法について説明する。
まず、支管受け３７０の支管を押えた状態を解除することにより、ロール製品は取り出し可能となる。
ロール製品を取り出したら、移動仕切り枠２００のキャッチクリップ３５０による妻枠３１０と基枠２１０との係止を解除する。また、倒れ防止補強材３２０の補強材係止用ボルト・ナット２２２との嵌合を解除する。その結果、妻枠３１０は基枠２１０に対して蝶番２１８により回動自在となるので、妻枠３１０を内側に、すなわち基枠２１０の側に倒し、最終的に基枠２１０の上に略重ねた状態とする。
なお、妻枠３１０を倒す前に、移動仕切り枠２００全体の位置を折り畳み式ラック１の両端部に移動させる等しておいてもよい。その方法は、前述した移動仕切り枠２００の移動方法と同じである。
このようにして対向する２つの移動仕切り枠２００の妻枠３１０を内側に傾倒することにより、折り畳み式ラック１の折り畳みは完了する。
【００３９】
このように、本実施形態の折り畳み式ラック１においては、収容しようとするロール製品の長さに応じた任意の位置に、移動仕切り枠２００の位置、すなわち、支管受け３７０の位置を変更することができるので、１つのコンテナで任意の長さのロール製品に対応することができる。
また、移動仕切り枠２００がスライド移動により位置を変更可能に構成されているので、移動仕切り枠２００の移動は容易に行え、作業者一人でも簡単に行うことができる。
また、移動仕切り枠２００は、ガイド板１１５によりパレット部１００の長手方向にのみ移動するように案内されているので、その点においても移動仕切り枠２００の移動は一層簡単に行うことができる。
また、移動仕切り枠２００の固定及び固定の解除は、固定部２４０のレバー付ボルト２４１を締め付ける、あるいは、緩めるだけで行えるので、非常に簡単に行うことができる。
【００４０】
また、折り畳み式ラック１は、不要な時は折り畳んで段積みしておくことができるので、コンテナの回送や保管を効率よく行える。
また、折り畳み式ラック１の折り畳みは、倒れ防止補強材３２０とキャッチクリップ３５０の係止を解除するのみで行え、非常に簡単に行える。
【００４１】
なお、前述した実施形態は、本発明の理解を容易にするために記載されたものであって本発明を何ら限定するものではない。本実施形態に開示された各要素は、本発明の技術的範囲に属する全ての設計変更や均等物をも含み、また任意好適な種々の改変が可能である。
【００４２】
例えば、前述した実施形態における移動仕切り枠２００の基枠２１０及び妻枠３１０の各枠部材や支持部材の配置、構成及び数等は任意でよい。
また、固定部２４０、倒れ防止補強材３２０及びキャッチクリップ３５０等の構成も、本実施の形態に限られるものではなく任意でよい。
また、ロール製品としては、特に限定されず、例えば磁気テープ、液晶用フィルム、金属箔、各種フィルムシート、織物などの、支管の回りに巻回してあるものなどが例示される。
【００４３】
また、本発明の折り畳み式ラックは、コンテナ等の内部に収容する内部ラックとして実現してもよい。そのような形態においては、そのコンテナも本発明の範囲である。
【産業上の利用可能性】
【００４４】
本発明は、例えば磁気テープ、液晶用フィルム、金属箔、各種フィルムシート、織物などのロール製品の収容、保管、搬送等が必要な種々の分野において利用可能である。
【符号の説明】
【００４５】
１…折り畳み式ラック
１００…パレット部
１０１…リフト用開口
１１０…コーナ金具
１１１…支柱部
１１２…段積金具
１１３…上端部
１１５…ガイド板部
１１６…ガイド孔
１３０…仕切り枠受けレール
１４０…長穴付ガイドレール
１４１…長穴
２００…移動仕切り枠
２１０…基枠
２１１…内側枠
２１２…外側枠
２１３…側部枠
２１４…中央支柱
２１５…中間支柱
２１８…蝶番
２２１…滑り用ボルト・ナット
２２２…補強材係止用ボルト・ナット
２３０…摺動凸部
２３１…ポップナット
２３２…ボルト
２３３…摺動部材
２４０…固定部
２４１…レバー付ボルト
２４２…ひし形ナット
２４３…スペーサ
２５０…フック
３１０…妻枠（立設枠）
３１１…上枠
３１２…下枠
３１３…側部枠
３１５…中間支柱
３２０…倒れ防止補強材
３２１…係止溝
３５０…キャッチクリップ（係止具）
３７０…支管受け
３７１…凹部
３７２…支管押え
【図１】
2010173716.tif 000003
【図２】
2010173716.tif 000004
【図３】
2010173716.tif 000005
【図４】
2010173716.tif 000006
【図５】
2010173716.tif 000007
【図６】
2010173716.tif 000008